(57)【要約】      （修正有）【課題】薄板材からなる連結形板において、軽量性と加工容易性に優れた強度の高い折り曲げ式連結形板を提供する。【解決手段】構造的に弱い薄板材２を、予め付け加えられた屈曲する折り目４に沿って折り曲げることで、平面形状の薄板材２を３次元形状に変化させ、形板自体の強度を向上させた。それにより複数の形板を接続して作り出す形状の強度も増加し、自立できる様にした。また個々の形板が３次元形状に変化することで、複数の形板を組み合わせことで、３次元的曲面も含めた複雑な形の形成ができる様になり、様々な用途で活用できる様にした。【選択図】図１
0003182562.tif 000002
【実用新案登録請求の範囲】
【請求項１】
紙又は樹脂や金属による薄板材において、板材の各角に設けた連結穴と隣接する連結穴間の上記薄板版の側面に沿って内側に設けた折り目に従って折り曲げることができる薄板材からなる折り曲げ式連結形板。
【請求項２】
前記薄板材を折り目に従って折る事で３次元形状に変化し強度が増すことを特徴とした請求項第１記載の薄板材からなる折り曲げ式連結形板。
【考案の詳細な説明】
【技術分野】
【０００１】本考案は、紙又は樹脂や金属による薄板材からなる折り曲げ式連結形板に関する。
【背景技術】
【０００２】薄板材のよる連結形板で、必要に応じて連結または着脱することで水平方向および垂直方向に、その面積を加減できる薄板材からなる連結形板は広く知られている。
【考案の概要】
【考案が解決しようとする課題】
【０００３】しかしながら、いずれも平面または２次元方向への拡張が目的なため、構造的に弱く自立することが困難で、連結した形板とは別に、それを支える為の構造体を用意する必要があるなどの欠点があった。また、連結して形成する面が平面または２次元方向に限定されるため、用途が限られていた。
【課題を解決するための手段】
【０００４】本考案は構造的に弱い薄板材を、予め付け加えられた屈曲する折り目に沿って折り曲げることで、平面形状の薄板材を３次元形状に変化させ、形板自体の強度を向上させた。それにより複数の形板を接続して作り出す形状の強度も増加し、自立できる様にした。また個々の形板が３次元形状に変化することで、複数の形板を組み合わせて３次元的曲面も含めた複雑な形の形成ができる様になり、様々な用途で活用できる様にした。これにより上記課題を解決するものである。
【考案の効果】
【０００５】上述の様に、本考案に係る紙又は樹脂や金属による薄板材からなる折り曲げ式連結形板は、予め付け加えられた屈曲した折り目に沿って折り曲げるだけで、形板自体を３次元形状に変化させて強度を向上させるので、連結した形板で構成される形状自体の強度も向上し、それを支える為の別の構造体が不要になることから施工の手間や材料費を含めた構築コストが低減される。また、形板の折り目の折り曲げ具合によって、形板の３次元形状を必要に応じて自由に調整できるので、その形板を連結して作り出す形状は、２次元形状に限らず球体や３次元曲面などの複雑で自由度の高い豊かな造形表現ができる。さらに折り目を効果的に配置することで容易に製造でき、また薄板材についても紙又は樹脂や金属製のものを用いることでより少ない材料で軽量化をはかることができる、実用性に優れたものである。
【図面の簡単な説明】
【０００６】
【図１】本考案の薄板材からなる折り曲げ式連結形板の３面図である。
【図２】本形板の一部欠断面図である。
【図３】本形板を複数連結する場合を示す図である。
【図４】本形板の折り目に沿って折り曲げた状態を示す姿図と一部欠断面図である。
【図５】本形板を折り目に沿って折り曲げて、単体または複数連結して作れる形状の例を示す図である。
【図６】本形板を折り目に沿って折り曲げて、複数連結して作れる形状の例を示す図である。
【考案を実施するための形態】
【０００７】以下、本考案の薄板材からなる折り曲げ式連結形板の一実施形態について、図面を参照して詳細に説明する。
図１は本考案の薄板材からなる折り曲げ式連結形板の一実施形態における形板１を、三角形の場合と四角形の場合で示す図であり、それぞれ（ａ）は平面図、（ｂ）は右側面図、（ｃ）は下面図である。
【０００８】本考案の薄板材からなる折り曲げ式連結形板は、図１に示すような形板１同士を連結させて立体形状物を作成するように使用される。
【０００９】本実施形態において、形板１は、隣接する連結穴３を直線状に結ぶ辺６と、留め具７が薄板材２に埋没しない様に連結穴３を取り囲む幅広の隅部５、隣接する連結穴３を結ぶ直線を１辺とする外側に描いた正三角形の頂点を中心にして、隅部５と辺６の交点を通る円弧の形に入れられた折り目４によって形成された、紙又は樹脂や金属による薄板材２からなる。なを折り目４は、形板１を使用する際に折るための、点線やミシン目、一部薄く溝を切るなどの方法で形成される。
【００１０】図２（Ａ）（Ｂ）に示すように上記形板１は、隅部５にある連結穴３に留め具７を通す事で、他の形板１と連結する事ができる。一例として留め具７は、連結穴３に挿入すると先端部が開いて抜け落ちなくなると同時に形材を留める役割をするものであるが、この留め具の構造はこれに限定されるものではない。
【００１１】上記形板１を他の形板１と連結する際に、形板１の片方の連結穴３を留め具７で連結した後に、残りの連結穴を互い違いに入れ替えて留めることができる。例として、図３に２枚の形板１（薄板材２ａと薄板材２ｂ）を、薄板材２ａを手前にして隅部５ａにある左側の連結穴３ａで留め具７を使って薄板材２ｂと連結した後に、手前にある薄板材２ａの右側の隅部５ａを奥に、奥にある薄板材２ｂの右側の隅部５ｂが手前にくるように隅部互い違いに入れ替えて連結穴３ｂで留め具７で連結した様子を示す。
【００１２】図４に示すように上記形板１は、各辺６の内側にある折り目４で、矢印で示した方向に垂直方向に辺６を持ち上げて折り曲げることで図４の姿図または（Ｃ）（Ｄ）の断面が示すような３次元形状に変化すると同時に、折り曲げる際に生じる反発力（材が元に戻ろうとする力）によって強度が向上する。
【００１３】上記形板１は、各辺６の内側にある折り目４で、垂直方向の手前方向にも奥の方向にも各辺６を折り曲げることができるので、より複雑な３次元形状に変化する。
【００１４】例えば、１枚の形板１を折り目４で折り曲げることで３次元化し強度が向上したことで形成できる立体形成物についての幾つかの例を示せば、図５（ａ）は、正三角形をベースにした形板１の全ての折り目４で大きく折り曲げることで、３つの隅部５を集めて１つの留め具７で重なり合った３つの連結穴３で留めた立体形状である。
【００１５】上記例の図５（ｂ）は、正方形をベースにした形板１を、全ての折り目４で折り曲げ、４つの連結穴３の内の隣接する２つを留め具７で連結した立体形成物である。
【００１６】また、上記例の図５（ｃ）は、正方形をベースにした形板１を、全ての折り目４で折り曲げ、対角線に位置する２つの連結穴３を留め具７で連結した立体形成物である。
【００１７】本実施形態の薄板材からなる折り曲げ式連結形板は、複数の形板１を留め具７を使って連結穴３で連結する事で、必要な大きさの立体形状を形成することができる。その際、各形板１を折り目４で折り曲げる事で、３次元形状を含めたより豊かな表現を持つ強度の高い立体形状の作成ができる。
【００１８】例えば、形板１を折り目４で折り曲げることで３次元化し強度が向上したものを、複数枚連結して形成できる立体形成物についての幾つかの例を示せば、図５（ｄ）は、正三角形をベースにした形板１の全ての折り目４で折り曲げたものを上下に合わせるように３つの連結穴５同士で留め具７で連結した立体形成物である。
【００１９】また図５（ｅ）は、正方形をベースにした形板１を三枚の横に並べて、隣り合う形板１同士を２つの連結穴３で留め具７を使って連結。横に長い長方形のような形ができたら、その両端の短辺を引き寄せて連結穴３を留め具７で連結して円筒状を形成。その後各形板１の折り目４を全て折り曲げることで形成される立体形成物である。
【００２０】本実施形態の薄板材からなる折り曲げ式連結形板は、折り目４で折り曲げる事で３次元化して強度が向上すると同時に、複数の形板１を連結することで、自立する大きな空間や構築物を比較的簡単に構築することができる。その例を示せば、図６（ａ）は、正三角形をベースにした形板１の全ての折り目４を折り曲げ、他の形板含め全部で１０枚を交互に連結することで構築された五角形の断面を持つ立体形状である。これと同じ形状を、垂直方向に積み重ねるように連結していくことで、柱やタワーなどの立体造形物の構築が可能である。
【００２１】また図６（ｂ）は、正三角形をベースにした形板１の全ての折り目４を折り曲げ、他の形板含め全部で２０枚を隅部５で連結することで構築された球状の立体形状の例である。
【符号の説明】
【００２２】１      形板
２      薄板材
３      連結穴
４      折り目
５      隅部
６      辺
７      留め具
【図１】
0003182562.tif 000003
【図２】
0003182562.tif 000004
【図３】
0003182562.tif 000005
【図４】
0003182562.tif 000006
【図５】
0003182562.tif 000007
【図６】
0003182562.tif 000008